(57)【特許請求の範囲】
【請求項１】
互いに接続するコンクリート管等管体の各端部に、外周に突条リングを設けた短尺、薄肉の継管を結合し、それら両継管の先端部どうしを挿嵌して接続するとともに、該接続部の外側に、柔軟弾性体よりなる被覆筒を嵌着し、該被覆筒の外側に、外周を軸方向の円錐状テーパ面とした複数に分割してなる筒状分割リングを被着し、その外側に、内周を円錐状テーパ面に形成した締着リングを嵌合して緊締したことを特徴とする、コンクリート管等管体の連結装置。
【請求項２】
筒状分割リングの円錐状テーパ面を、その軸方向の中央部から両端へ、互いに傾斜方向を反対とした２つのテーパ面に形成したことを特徴とする、請求項１記載のコンクリート管等管体の連結装置。
【発明の詳細な説明】
【０００１】
【産業上の利用分野】
本発明は、ヒューム管等のコンクリート管や陶管、プラスチック管等管体の連結にあたって、地震や地盤沈下等による外力に対応できるように、可撓、伸縮自在に結合するための連結装置に関するものである。
【０００２】
【従来の技術】
下水道等地下に埋設される管路には、ヒューム管等のコンクリート管が多く用いられており、管路は所定長さのコンクリート管を連結して形成されている。コンクリート管どうしの連結は、従来、例えば図９に示すように、コンクリート管１の一端の方に受口部２を設け、この中に連結する他方のコンクリート管１の端部を挿入、固定したり、或は図１０に示すように、両コンクリート管１，１の接合端部を継管３に挿入、固定するようにしている。
【０００３】
【発明が解決しようとする課題】
ところで、地中に埋設される管路では、地震や地盤沈下等によってあらゆる方向の外力を受けることになり、管路には屈曲、捩り、伸縮等の作用が働くことになる。そのような場合、上記のような従来の管路では、コンクリート管相互の接結部が分離したり、損壊したり、或はコンクリート管自体も損傷するおそれがある。
【０００４】
本発明は、上記従来の問題点にかんがみなされたもので、コンクリート管等の相互の接続が、屈曲、捩れ、伸縮等の荷重を吸収可能にできるとともに、水密性も保持され、結合も強固にできるようにした、コンクリート管等の連結装置を提供しようとするものである。
【０００５】
【課題を解決するための手段】
上記の目的を達成するための本発明の構成について、実施例に対応する図面を参照して説明すると、請求項１の装置は、互いに接続するコンクリート管等管体１の各端部に、外周に突条リング７，８を設けた短尺、薄肉の継管５ａ，５ｂを結合し、それら両継管５ａ，５ｂの先端部どうしを挿嵌して接続するとともに、該接続部の外側に、柔軟弾性体よりなる被覆筒１１を嵌着し、該被覆筒１１の外側  に、外周を軸方向の円錐状テーパ面１７とした複数に分割してなる筒状分割リング１５，１５を被着し、その外側に、内周を円錐状テーパ面１９に形成した締着リング１８を嵌合して緊締したことを特徴とするものである。
【０００６】
また、請求項２の装置は、請求項１の装置において、筒状分割リング１５，１５の円錐状テーパ面を、その軸方向の中央部から両端へ、互いに傾斜方向を反対とした２つのテーパ面１７ａ，１７ｂに形成したことを特徴とするものである。
【０００７】
【作用】
本発明の装置では、コンクリート管１，１に結合した継管５ａ，５ｂが入れ子式に重合して接続され、その外側に被覆筒１１と筒状分割リング１５，１５及び締着リングを嵌合して結合される。
【０００８】
この場合、被覆筒１１は柔軟な弾性体であるため、筒状分割リング１５，１５と締着リングによる締め付けでステンレス管５ａ，５ｂの外面に密接して水密性が保たれるとともに、突条リング７，８との係合により、両ステンレス管５ａ，５ｂはその軸線方向に対する移動がある程度許容される状態で結合される。また、継管５ａ，５ｂの相互間に捩れや屈曲作用が生じても、被覆筒１１の弾性及び継管    ５ａ，５ｂ自体の弾性によって、それら外力を吸収することができ、損壊の防止が図れる。
【０００９】
【実施例】
以下、本発明の実施例について図面を参照して説明する。図１〜図５は本発明の一実施例を示し、図６〜図８は同他の実施例を示したものである。
【００１０】
図１〜図５において、５ａ，５ｂは接続するヒューム管等のコンクリート管１ａ，１ｂの接続端部に結合される一対の短尺、薄肉の継管で、ステンレス等の金属やプラスチック或は硬質ゴムで形成されている。
【００１１】
そして、一方の継管５ａはコンクリート管１の内径とほぼ同径で、その基端部にはコンクリート管１の端部と嵌合する拡径の受口６が形成されているととも  に、長さ方向の中間部外周には、所要の高さと巾を有する突条リング７が突設されている。
【００１２】
また、他方の継管５ｂは、一方の継管５ａを遊挿できる内径を有し、その基端部にはコンクリート管１の端部と嵌合する拡径の受口６が形成されているとともに、長さ方向の中間部外周には、所要の高さと巾を有する突条リング８が突設されている。
【００１３】
上記両継管５ａ，５ｂは、その受口６をコンクリート管１の端部に外嵌し、水膨張性のシール材９を介して水密に結合されている。そして、両継管５ａ，５ｂは互いに先端部どうしを所要の長さにわたり重ね合せに挿嵌し、その重ね合せ部分の両管５ａ，５ｂ間にはシール材１０が介装されている。
【００１４】
１１は、両継管５ａ，５ｂの嵌合部分の外側に嵌着される被覆筒で、ゴム、プラスチック等の柔軟な弾性及びシール性を有する材料で形成されており、その内面には、両継管５ａ，５ｂの突条リング７，８と係合される２条の環状溝１２，１２が周設されている。そして、被覆筒１１の両端外周には、面取りした斜断面１３，１３が形成されている。
【００１５】
また、１５は、被覆筒１１の外側に被着される２個一対よりなる筒状分割リング  で、被覆筒１１より長く形成され、その両端部内側には、上記斜断面１３，１３に外接する内向き斜断面１６，１６が形成されている。そして、筒状分割リング１５，１５の外面はその軸線方向に沿う円錐状テーパ面１７に形成されている。筒状分割リング  １５，１５の外側には筒状の締着リング１８が嵌合、圧接される。この締着リング１７はその内面が上記テーパ面１７に適合する円錐状テーパ面１９に形成されている。
【００１６】
両継管５ａ，５ｂの結合にあたっては、あらかじめどちらか一方の継管      ５ａ（５ｂ）に被覆筒１１及び締着リング１８を嵌合しておく。そして、両継管    ５ａ，５ｂの先端部を互いに所要の深さに重ね合せた後、その部分の外側に被覆筒１１をずらして被せ、被覆筒１１の環状溝１２，１２を継管５ａ，５ｂの突条リング  ７，８に係合させる。次に、一対の筒状分割リング１５，１５を被覆筒１１の外側に被着し、さらにその外側に締着リング１８を嵌合して、その軸線方向に打撃等により移動させれば、それらのテーパ面１７，１９の作用で、筒状分割リング１５，１５はその内面と内向き斜断面１６，１６で被覆筒１１を包み込むようにして圧着し、両継管    ５ａ，５ｂは弾性のある被覆筒１１を介して弾性的に結合されることになる。
【００１７】
次に、本発明の他の実施例について図６〜図８を参照して説明する。この実施例では、継管５ａ，５ｂ及び被覆筒１１についてはさきの実施例におけると同様であるから、それらの説明は省略する。この実施例では、筒状分割リング１５，１５の外面が、その軸線方向の中央部より各端部にかけて径小となるように、傾斜方向を互いに反対としたテーパ面１７ａ，１７ｂに形成されている。したがって、締着リングはそれら両テーパ面１７ａ，１７ｂに適合するように一対の締着リング１８ａ，１８ｂよりなり、それぞれテーパ面１７ａ，１７ｂに対応するテーパ面１９ａ，１９ｂが内面に形成されている。
【００１８】
なお、上記各実施においては、継管５ａ，５ｂの突条リング７，８は各１個づつとなっているが、それら突条リング７，８は複数間隔をおいて設けることもできる。また、被覆筒１１は、環状溝１２，１２を設けず単なる筒体に形成してもよく、そうした場合でも、被覆筒１１は柔軟な弾性を有するので、両継管５ａ，５ｂの接続部の外周の凹凸によくなじんで密着できる。
【００１９】
【発明の効果】
以上説明したように、本発明は、ヒューム管等コンクリート管どうしを、それらの端部に結合した一対の薄肉の継管の重ね合せの結合により接続し、それら継管どうしを柔軟な弾性体の被覆筒の外嵌と筒状分割リングと締着リングによる締付けにより弾性的に結合するようにしたので、地震や地盤沈下によって、コンクリート管の相互間に、屈曲や捩れ或は軸方向に対するずれ等の外力が作用した場合に、それら外力による変形や相対移動にある程度追随して外力を吸収し、コンクリート管自体及びその結合部の損壊が防がれるようになる。
【００２０】
また、両継管の結合部分や継管自体が損壊した場合には、それらを取替えて結合し直すことで復元することが容易にでき、しかも、構造は簡単で水密性に優  れ、コストも安価である。
【図面の簡単な説明】
【図１】本発明の一実施例を示す半部切載縦断面図である。
【図２】同連結する継管の要部を示す半部切載縦断面図である。
【図３】同被覆筒の半部切載縦断面図である。
【図４】同筒状分割リングの一部切欠縦断面図である。
【図５】同締着リングの半部切載縦断面図である。
【図６】本発明の他の実施例を示す半部切載縦断面図である。
【図７】同筒状分割リングの一部切欠縦断面図である。
【図８】同締着リングの半部切載縦断面図である。
【図９】従来のコンクリート管の結合例を示す縦断面図である。
【図１０】同他の例を示す縦断面図である。
【符号の説明】
１  コンクリート管
５ａ，５ｂ  継管
６  受口
７，８  突条リング
９，１０  シール材
１１  被覆筒
１２  環状溝
１３  斜断面
１５  筒状分割リング
１６  内向き斜断面
１７  テーパ面
１８，１８ａ，１８ｂ  締着リング
１９，１９ａ，１９ｂ  テーパ面
【図１】
0003627939.tif 000002
【図２】
0003627939.tif 000003
【図３】
0003627939.tif 000004
【図４】
0003627939.tif 000005
【図５】
0003627939.tif 000006
【図６】
0003627939.tif 000007
【図７】
0003627939.tif 000008
【図８】
0003627939.tif 000009
【図９】
0003627939.tif 000010
【図１０】
0003627939.tif 000011